(57)【要約】【課題】一端または両端の接続部に環状パッキンが備えられるパイプを吊り下げ状に陳列するに当たり、パイプへのパッキンの保持を容易にかつ短時間で行うことができ、しかも、バーコードやプライスカード等の商品情報表示部材を別途パイプに取り付ける必要がないようにする。【解決手段】本発明によるパッキンホルダ１は、パイプ５に着脱自在に嵌め止められる略Ｃ形の取付部２と、取付部２の長さの一部に外方凸曲折状に形成されかつ取付部２に通されたパッキン６が掛け止められる掛止部３と、取付部２から上方または下方に伸びかつ表面に商品情報４１が表示される垂直板状の表示部４とを備えている。【選択図】  図３
2004236779.tif 000002
【特許請求の範囲】
【請求項１】
一端または両端の接続部（５１）に環状パッキン（６）が備えられるパイプ（５）を吊り下げ状に陳列する際に用いられるパッキンホルダ（１）であって、パイプ（５）に着脱自在に嵌め止められる平面より見て略Ｃ形の取付部（２）と、取付部（２）の長さの一部に外方凸曲折状に形成されかつ取付部（２）に通されたパッキン（６）が掛け止められる掛止部（３）と、取付部（２）から上方または下方に伸びかつ表面に商品情報（４１）が表示される垂直板状の表示部（４）とを備えている、パイプ陳列用パッキンホルダ。
【発明の詳細な説明】
【０００１】
【発明の属する技術分野】
本発明は、一端または両端の接続部に環状パッキンが備えられるパイプを吊り下げ状に陳列する際に用いられるパッキンホルダに関する。
【０００２】
【従来の技術】
例えば、一端または両端の接続部に環状パッキンが備えられるフレキシブルパイプを吊り下げ状に陳列する場合、そのままではパッキンがフレキシブルパイプの接続部から脱落してしまうおそれがあるため、パッキンをパイプに保持しておく必要があった。
【０００３】
そこで、パッキンが内装されたフレキシブルパイプの接続部にパッキン保持栓をねじ嵌め、該保持栓によってパッキンの脱落を防止することが行われていた（例えば、下記特許文献１参照）。
【０００４】
また、その他のパッキン保持手段としては、パッキンをフレキシブルパイプに針金等で巻き付けて固定しておくものがあった。
【０００５】
【特許文献１】
実公昭５８−１６５２２号公報（実用新案登録請求の範囲、第１図等）
【０００６】
【発明が解決しようとする課題】
しかしながら、フレキシブルパイプの接続部にパッキン保持栓をねじ嵌める作業は面倒であり、時間もかかる。同様に、フレキシブルパイプにパッキンを針金等で固定する作業も、手間がかかり、作業効率の点で問題がある。
【０００７】
また、上記いずれの場合も、パッキンの保持作業とは別に、バーコードやプライスカード等の商品情報表示部材をパイプに取り付ける必要があった。
【０００８】
本発明の目的は、一端または両端の接続部に環状パッキンが備えられるパイプを吊り下げ状に陳列するに当たり、パイプへのパッキンの保持を容易にかつ短時間で行うことができ、しかも、バーコードやプライスカード等の商品情報表示部材を別途パイプに取り付ける必要がないようにすることにある。
【０００９】
【課題を解決するための手段および発明の効果】
本発明は、一端または両端の接続部に環状パッキンが備えられるパイプを吊り下げ状に陳列する際に用いられるパッキンホルダであって、パイプに着脱自在に嵌め止められる平面より見て略Ｃ形の取付部と、取付部の長さの一部に外方凸曲折状に形成されかつ取付部に通されたパッキンが掛け止められる掛止部と、取付部から上方または下方に伸びかつ表面に商品情報が表示される垂直板状の表示部とを備えているものである。
【００１０】
上記のパッキンホルダにあっては、パッキンを取付部に通して掛止部に掛け止めた状態で、取付部をパイプに嵌め止めることにより、パッキンをパイプに保持しうる。また、上記のパッキンホルダには、表示部が備えられているので、該表示部の表面に、バーコードや価格等の商品情報を表示することができる。したがって、本発明のパッキンホルダによれば、パッキンをパイプに簡単にかつ短時間で保持することができる上、別途、商品情報表示部材を取り付ける必要がなくなる。
【００１１】
【発明の実施の形態】
図１〜３には、本発明の好ましい実施形態が示されている。この実施形態では、本発明を、両端の接続部（５１）に環状パッキン（６）が備えられるフレキシブルパイプ（５）を吊り下げ状に陳列する際に用いられるパッキンホルダ（１）に適用している。
【００１２】
図１および２に示すように、本発明によるパッキンホルダ（１）は、フレキシブルパイプ（５）に着脱自在に嵌め止められる平面より見て略Ｃ形の取付部（２）と、取付部（２）の長さの一部に外方凸曲折状に形成されかつ取付部（２）に通されたパッキン（６）が掛け止められる掛止部（３）と、取付部（２）から下方に伸びかつ表面に商品情報（４１）が表示される垂直板状の表示部（４）とを備えている。
【００１３】
上記のパッキンホルダ（１）は、通常、塩化ビニル樹脂等の合成樹脂により一体成形される。但し、アルミニウム合金等の金属材料でパッキンホルダを形成することも可能である。
【００１４】
取付部（２）の内径は、フレキシブルパイプ（５）の蛇腹状パイプ本体（５０）の小径部（５０１）と同じかこれよりも僅かに大きいが、同大径部（５０２）よりも若干小さいものとなされる。取付部（２）は、フレキシブルパイプ（５）への装着時および取外し時に変形しうるように、若干の弾性を有するものとなされている。
【００１５】
掛止部（３）は、取付部（２）の一端部寄りに形成されている。掛止部（３）は、平面より見て略半円形となされており、２つのパッキン（６）を掛け止めうる大きさを有している。
【００１６】
表示部（４）は、取付部（２）の長さ中央部から下方に伸びている。取付部（２）の長さ中央部は、表示部（４）がスムーズに連なるように、垂直壁状となされている。表示部（４）の表面には、フレキシブルパイプ（５）用のバーコード（４１）が印刷された紙が貼り付けられている。
【００１７】
図３には、パッキンホルダ（１）の使用状態が示されている。フレキシブルパイプ（５）の接続部は、パイプ本体（５０）の端部に回転自在に取り付けられたナット（５１）よりなる。パッキン（６）は、使用時においてナット（５２）の内部に配される。
【００１８】
フレキシブルパイプ（５）は、その一方の接続部（５１）を、前方突出状の１対の陳列フック（７）に掛け止めることにより、吊り下げ状に陳列されている。
【００１９】
フレキシブルパイプ（５）へのパッキン（６）の保持は、次のようにして行われる。即ち、２つのパッキン（６）を、パッキンホルダ（１）の取付部（２）に通して、掛止部（３）に掛け止めておいてから、パッキンホルダ（１）の取付部（２）を、フレキシブルパイプ（５）のパイプ本体（５０）の小径部（５０１）に嵌め止めればよい。したがって、上記のパッキンホルダ（１）によれば、フレキシブルパイプ（５）へのパッキン（６）の保持作業を、きわめて簡単にかつ短時間で行うことができる。また、パッキンホルダ（１）には、表面にバーコード（４１）が表示された表示部（４）が備えられているので、フレキシブルパイプ（５）に、別途、バーコードが表示されたシール等を取り付ける必要がない。
【００２０】
上記の実施形態はあくまでも例示にすぎず、特許請求の範囲に記載された本発明の要旨を逸脱しない範囲で適宜に変更を加えた上で本発明を実施することも勿論可能である。
【図面の簡単な説明】
【図１】本発明によるパッキンホルダの実施形態を示す斜視図である。
【図２】パッキンホルダの平面図である。
【図３】パッキンホルダの使用状態を示す斜視図である。
【符号の説明】
（１）：パイプ陳列用パッキンホルダ
（２）：取付部
（３）：掛止部
（４）：表示部
（４１）：バーコード（商品情報）
（５）：フレキシブルパイプ
（５１）：接続部
（６）：パッキン
【図１】
2004236779.tif 000003
【図２】
2004236779.tif 000004
【図３】
2004236779.tif 000005